(57)【要約】【課題】付勢部材の付勢力による回動部材の回動範囲を安定させることができる回路遮断器を提供する。【解決手段】回路遮断器は、筐体内で支持された第２回動軸１９中心に回転可能に軸支された可動リンク５０と、一端側が前記可動リンクに当接して所定の付勢力を付与するように前記筐体内に固定される付勢部材とを備える。可動リンク５０は、前記第２回同軸１９により軸支される本体部５１の挿通孔５１ｃと、前記付勢部材により付勢力が付与される被付与部としての側縁部５１ａが前記第２回同軸１９の軸方向（幅方向Ｘ）において一致する。【選択図】図１４
2014241212.tif 000002
【特許請求の範囲】
【請求項１】
筐体内で支持された支軸中心に回転可能に軸支された回動部材と、一端側が前記回動部材に当接して所定の付勢力を付与するように前記筐体内に固定される付勢部材とを有し、
前記回動部材は、前記支軸により軸支される支持部と、前記付勢部材により付勢力が付与される被付与部が前記支軸の軸方向において一致することを特徴とする回路遮断器。
【請求項２】
請求項１に記載の回路遮断器において、
前記回動部材は、前記支持部から前記支軸の軸方向にずれた位置で前記支軸により軸支される補助支持部を備え、
前記補助支持部は前記支持部と一体形成されることを特徴とする回路遮断器。
【請求項３】
請求項１又は２に記載の回路遮断器において、
前記付勢部材は、前記支軸から離れた前記回動部材の端部に係止されることを特徴とする回路遮断器。
【発明の詳細な説明】
【技術分野】
【０００１】
本発明は、回路遮断器に関するものである。
【背景技術】
【０００２】
回路遮断器は、電源と負荷とを接続した回路において所定の回路状態に達した際には、接点間を引き外して回路を遮断する（例えば、特許文献１参照）。回路遮断器は、例えば、配線用遮断器、漏電遮断器、過電圧遮断器、不足電圧遮断器等がある。配線用遮断器は、短絡又は過負荷による異常電流が流れた際に回路を遮断する。漏電遮断器は、漏電が発生した際に回路を遮断する。過電圧遮断器は、回路の電圧が所定電圧よりも高い際に回路を遮断する。不足電圧遮断器は、回路の電圧が所定電圧よりも低い際に回路を遮断する。上記の回路遮断器を組み合わせた複合遮断器を使用することもある。
【０００３】
上記の回路遮断器は、接点間を開閉する遮断機構と、回路を開閉操作するハンドルと、遮断機構を介して接点間を引き外す電磁引外装置と、を備えている。
【先行技術文献】
【特許文献】
【０００４】
【特許文献１】特開２０００−２３１８６９号公報
【発明の概要】
【発明が解決しようとする課題】
【０００５】
ところで、回路遮断器では、遮断機構の各種部材が回動することで、接点間を開閉させている。その際、各種部材の動作を行う動力源の１つとしてばね等の付勢部材を用いることが考えられる。このとき、付勢部材からの付勢力を受けて回動動作する回動部材に対して、回動方向と異なる方向に付勢力が作用すると被付勢部材に対して回動する方向に対してねじれを発生するモーメントが発生する虞がある。これによって、回動する被付勢部材に対して必要な回動方向への力のモーメントが不足し、回動範囲が狭くなる虞がある。
【０００６】
本発明は、上記課題を解決するためになされたものであって、その目的は、付勢部材の付勢力による回動部材の回動範囲を安定させることができる回路遮断器を提供することにある。
【課題を解決するための手段】
【０００７】
上記課題を解決するために、回路遮断器は、筐体内で支持された支軸中心に回転可能に軸支された回動部材と、一端側が前記回動部材に当接して所定の付勢力を付与するように前記筐体内に固定される付勢部材とを備え、前記回動部材は、前記支軸により軸支される支持部と、前記付勢部材により付勢力が付与される被付与部が前記支軸の軸方向において一致することを特徴とする。
【０００８】
また上記構成において、前記可動リンクは、前記支持部から前記支軸の軸方向にずれた位置で前記支軸により軸支される補助支持部を備え、前記補助支持部は前記支持部と一体形成されることが好ましい。
【０００９】
また上記構成において、前記付勢部材は、前記支軸から離れた前記可動リンクの端部に係止されることが好ましい。
【発明の効果】
【００１０】
本発明の回路遮断器によれば、付勢部材の付勢力による回動部材の回動範囲を安定させることができる。
【図面の簡単な説明】
【００１１】
【図１】回路遮断器の構成を示す分解斜視図。
【図２】オフ状態における回路遮断器の構成を示す左側面図。
【図３】オフ状態における回路遮断器の構成を示す右側面図。
【図４】電磁引外装置の構成を示す斜視図。
【図５】電磁引外装置の構成を示す分解斜視図。
【図６】電磁引外装置の構成を示す側面図。
【図７】電磁引外装置の構成を示す断面図。
【図８】電磁引外装置の構成を示す断面図。
【図９】電磁引外装置の構成を示す図６の９−９断面図。
【図１０】オン状態における回路遮断器の構成を示す左側面図。
【図１１】不足電圧トリップした瞬間における回路遮断器の構成を示す左側面図。
【図１２】不足電圧トリップ状態における回路遮断器の構成を示す左側面図。
【図１３】可動リンクの構成を示す左側面図。
【図１４】可動リンクの構成を示す平面図。
【図１５】可動リンクの構成を示す正面図。
【図１６】可動リンクと復帰ばねとの位置関係を説明するための説明図。
【図１７】可動リンクと復帰ばねとの位置関係を説明するための説明図。
【図１８】可動リンクと鉄心ホルダ部との当接状態を説明するための説明図。
【発明を実施するための形態】
【００１２】
以下、回路遮断器の一種である不足電圧遮断器の一実施形態について説明する。不足電圧遮断器は、回路の電圧が所定電圧よりも低くなったときに回路を遮断するものである。不足電圧遮断器は、短絡又は過負荷による異常電流が流れたときに、回路を遮断する配線用遮断器等の回路遮断器と組み合わされて使用される。
【００１３】
図１に示すように、不足電圧遮断器の筐体１０は、有底筒状の第１カバー１１と、有底筒状の第２カバー１２とを備えている。第１カバー１１と第２カバー１２とは、例えば絶縁性を有する合成樹脂によって形成されている。筐体１０は、有底筒状の第１カバー１１の開口部１１ａと、有底筒状の第２カバー１２の開口部１２ａとが対向した状態で組み付けられて略扁平の箱状に形成されている。
【００１４】
図２及び図３に示すように、第１カバー１１及び第２カバー１２は、組み付け方向から見た平面視において、一方（図２及び図３の左右方向）に長く、他方（図２及び図３の上下方向）に短い形状となっている。ここで、組み付け方向を幅方向Ｘ、第１及び第２カバー１１，１２の長手方向を長手方向Ｙ、第１及び第２カバー１１，１２の短手方向を短手方向Ｚとする。なお、短手方向Ｚは前記幅方向Ｘ及び長手方向Ｙと直交する方向である。
【００１５】
図１〜図３に示すように不足電圧遮断器の筐体１０には、外部電線を接続する端子部１３が設けられている。端子部１３は、筐体１０の外側から外部電線を接続しやすいように、筐体１０の中央からずれた位置（図２中左側）に設けられる。
【００１６】
第１カバー１１と第２カバー１２とによって形成される空間には、ハンドル２０と、表示部材３０と、遮断機構４０と、電磁引外装置９０と、励磁回路を実装した回路基板１４が配置されている。不足電圧遮断器の筐体１０の上面中央には、ハンドルゲート１６が形成されている。不足電圧遮断器の筐体１０の上面の端子部１３と反対側には、表示窓１７が形成されている。
【００１７】
図２及び図３に示すように、遮断機構４０は、連動駒４１と、可動リンク５０と、スラストバー６０と、ラッチ部材７０と、を備えている。筐体１０の内部には、不足電圧遮断器の動作状態を表示するために、表示部材３０と表示ラッチ部材８０とが収納されている。
【００１８】
図１〜図３に示すようにハンドル２０は、円柱状の回動部２１と、操作部２２とを備えている。回動部２１は、第１カバー１１に設けられる第１回動軸１８を中心に回動する。ハンドル２０は、操作部２２が操作されることによって、第１回動軸１８を中心に回動する。
【００１９】
図１に示すように、操作部２２には、連接される回路遮断器のハンドルの操作部に連結する角棒状の連結棒２３が突設されている。これにより、不足電圧遮断器のハンドル２０は、前記連結棒２３によって、他の回路遮断器のハンドルと一緒に回動可能となっている。ここで、操作部２２が端子部１３と反対側に位置するときがオン位置（通電位置）であり、操作部２２が端子部１３側に位置するときがオフ位置（電流遮断位置）である。ハンドル２０は、ハンドルばね２５により、前記オン位置からオフ位置に回転する方向に付勢力が常時付与されている。なお、ハンドル２０のオフ位置からオン位置への回転方向を「オン回転方向」とし、ハンドル２０のオフ位置からオン位置への回転方向を「オフ回転方向」とする。
【００２０】
図１〜図３に示すように、連動駒４１は、第３回動軸４３を中心に回動可能に支持されている。連動駒４１には、金属製の連動棒４２の一端が保持されている。この連動棒４２の他端側は、第２カバー１２のスリット１２ｂから外部に突出して、他の回路遮断器の連動駒に連結される。
【００２１】
可動リンク５０とラッチ部材７０と表示部材３０とは、第２回動軸１９を中心に回動する。第２回動軸１９は、筐体１０に両端が保持される。
遮断機構４０を構成する可動リンク５０は、コイルばねからなる復帰ばね５５と、捻りコイルばねからなる復帰ばね５６とによって、ハンドル２０のオフ回転方向に付勢力が常時付与されている。
【００２２】
図１３〜１５に示すように、可動リンク５０は、一方（図中長手方向Ｙ）に長い略板状の本体部５１と、本体部５１からＬ字状に延出形成された補助部５２と、電磁引外装置９０との物理的接続を可能とする係合突起５３とを備える。
【００２３】
図１３〜１５に示すように、本体部５１は、側縁部５１ａから延出される延出片５１ｂと、支軸としての第２回動軸１９を挿通させる挿通孔５１ｃと、係合突片５１ｄとを備える。
【００２４】
図１５及び図１６に示すように、延出片５１ｂは、前記復帰ばね５５の中心に挿入されて、復帰ばね５５の移動を抑えるものである。
図１３〜１５に示すように、挿通孔５１ｃは、前記本体部５１の側面５１ｅの面方向と略直交する方向に貫通する貫通孔である。
【００２５】
図１３〜１７に示すように、補助部５２は、第２回動軸１９の軸方向と同方向に延出形成される第１延出部５２ａと、この第１延出部５２ａの先端から前記第２回動軸１９の軸方向と略直交する方向に延出形成される第２延出部５２ｂとで略Ｌ字状に形成される。第１延出部５２ａは、薄板状をなし、前記本体部５１と略直交するように形成される。第２延出部５２ｂは、薄板状をなし、前記本体部５１と略平行となるように形成される。第２延出部５２ｂは、前記第２回動軸１９を挿通させる挿通孔５２ｃを備える。このため、補助部５２と本体部５１との両方に前記第２回動軸１９が挿通されることとなり、前記第２回動軸１９と直交する前記可動リンク５０の長手方向に沿った直線周りでの回転モーメント（ねじれモーメント）の発生が抑えられている。
【００２６】
復帰ばね５５，５６の一端は、それぞれ第１カバー１１に係止されている。復帰ばね５５，５６の他端は、可動リンク５０に係止されている。ハンドル２０には、ハンドルばね２５によってオフ回転方向の付勢力が常時付与されている。
【００２７】
また、表示ラッチ部材８０は、捻りコイルばねである表示ラッチばね８３によってハンドル２０のオン回転方向の付勢力が常時付与されている。
スラストバー６０は、金属の丸棒によってＵ字状に形成されている。スラストバー６０の操作側端部６１は、ハンドル２０の接続穴２４に挿入されている。スラストバー６０の伝達側端部６２は、可動リンク５０の係合突片５１ｄとラッチ部材７０のラッチ片７１とによってできるリンク孔５４に配置されている。この状態がラッチ部材７０によってスラストバー６０がラッチされた状態（ラッチ状態）となる。このラッチ状態では、ハンドル２０の動きがスラストバー６０を介して可動リンク５０に伝達される。
【００２８】
一方、可動リンク５０が電磁引外装置９０によって駆動されて、可動リンク５０とラッチ部材７０とが相対的に回動すると、リンク孔５４が開く。そして、スラストバー６０の伝達側端部６２がリンク孔５４の外側に出て、スラストバー６０のラッチが解除された状態（ラッチ解除状態）となる。
【００２９】
表示ラッチ部材８０は、第４回動軸８２を中心に回動可能に支持されている。表示ラッチ部材８０は、表示ラッチばね８３によってハンドル２０のオフ回転方向に付勢力が常時付与されている。表示ラッチ部材８０の上端部８１が、表示部材３０の下側に設けられた係合凸部３２に下側から当接することによって、表示部材３０がハンドル２０のオフ回転方向に回転できないようになっている。表示部材３０の先端部は、回路状態を表示する表示部３１である。表示部３１の上面は、表示部材３０の方向に沿って２つの領域に区画されている。表示部材３０の上面には、ハンドル２０側から順に正常状態を示す正常領域３１ａと、トリップ状態を示すトリップ領域３１ｂとが配置されている。これらの領域３１ａ，３１ｂのどちらかが表示窓１７から露出する。
【００３０】
筐体１０の内部には、回路基板１４が収納されている。回路基板１４には、コイル９２への通電に応じてラッチ部材７０を駆動する電磁引外装置９０と、電源電圧の異常を検出すると電磁引外装置９０のコイル９２の励磁を停止する励磁回路の部品が実装されている。
【００３１】
図４及び図５に示すように、電磁引外装置９０は、合成樹脂製のボビン９１と、コイル９２と、固定鉄心９３と、スペーサ１００と、ホルダ部９６と、可動鉄心９７と、コイルばね９８とを備えている。なお、固定鉄心９３が第１鉄心に相当し、可動鉄心９７が第２鉄心に相当する。
【００３２】
固定鉄心９３は、磁性材料（例えば鉄など）であって、板材によりＵ字状に形成されている。固定鉄心９３の下側脚片９５は、ボビン９１の孔内に挿入される。ボビン９１の両端には、挿入側鍔部９１ａと突出側鍔部９１ｂとが設けられている。固定鉄心９３の下側脚片９５の先端は、ボビン９１の突出側鍔部９１ｂから露出している。また、固定鉄心９３の上側脚片９４にはコイルばね９８が環装されている。
【００３３】
図６〜図８に示すように、ホルダ部９６は、ボビン９１の突出側鍔部９１ｂに回転自在に取り付けられる。ホルダ部９６の先端には、突起９６ｂが設けられている。突起９６ｂは、ホルダ部９６が回転した際に可動リンク５０の係合突起５３と当接して、可動リンク５０をオン回転方向に回転させる。
【００３４】
ホルダ部９６には、磁性材料からなる板状の可動鉄心９７が板ばね部材Ｂを介して保持されている。ホルダ部９６は、突出側鍔部９１ｂに保持されたホルダ回動軸９６ａを中心に回動する。可動鉄心９７は、固定鉄心９３の両脚片９４，９５の先端面（磁極面）に当接する位置と、固定鉄心９３の両脚片９４，９５の先端面（磁極面）から離間する位置との間で回転できるようになっている。
【００３５】
図７〜図９に示すように、固定鉄心９３には、固定鉄心９３の外周とコイルばね９８の内周との空間を抑制するスペーサ１００が取り付けられる。スペーサ１００は、固定鉄心９３の上側脚片９４の延出方向に延出して対向する２枚の板片１０１，１０２と、板片１０１，１０２を接続する接続片１０３とを備えている。スペーサ１００は、接続片１０３が固定鉄心９３の背面９３ａに当接することで前後方向の位置決めがされている。スペーサ１００は、板片１０１，１０２の接続片１０３側の下部がボビン９１の挿入側鍔部９１ａに当接することで上下方向の位置決めがされている。スペーサ１００の外形は、コイルばね９８の伸縮を妨げる摩擦力を発生させない程度に設定されている。スペーサ１００は、固定鉄心９３の外周とコイルばね９８の内周との空間に位置することで、コイルばね９８がコイルばね９８の内側に変形することを抑制している。このため、コイルばね９８が大きく変形することがなくなり、コイルばね９８から得られる荷重が安定する。また、コイルばね荷重が安定することにより磁界が安定する。
【００３６】
図２，図３，図１０〜図１２を参照して、不足電圧遮断器の動作について説明する。
まず、ハンドル２０をオフ位置からオン位置に動かして、不足電圧遮断器を図２に示されるオフ状態から、図１０に示されるオン状態に切り替える際の動作について説明する。
【００３７】
図１０に示すように、ハンドル２０をオフ位置からオン位置に向けて（オン回転方向）に回転させると、スラストバー６０によって可動リンク５０の係合突片５１ｄが押され、可動リンク５０がオン回転方向に回転する。
【００３８】
ここで、ハンドル２０の第１回動軸１８と、スラストバー６０の伝達側端部６２とを結ぶ直線を切替境界線Ｌとする。ハンドル２０が回転されて、切替境界線Ｌを、スラストバー６０の操作側端部６１が超えると、スラストバー６０の伝達側端部６２が係合突片５１ｄに押し付けられた状態で停止する。この時、ハンドル２０及びスラストバー６０はオン位置に保持され、不足電圧遮断器がオン状態となる。
【００３９】
ラッチ部材７０は、ラッチばね３４の付勢力を受けて、スラストバー６０の伝達側端部６２側に当接する位置まで回転する。表示部材３０の係止部３３が可動リンク５０に押されることによって、表示部材３０はオン回転方向に回転し、表示リセット位置に移動する。この状態では、表示ラッチ部材８０は付勢力を受けて、表示部材３０をラッチ可能な位置に移動している。また、連動駒４１は、可動リンク５０の回転に合わせてオン回転方向に回転し、連動棒４２を介して他の回路遮断器の連動駒を変位させる。また、電磁引外装置９０は、オン状態において電源電圧が正常であれば、励磁回路によってコイル９２に通電され、可動鉄心９７が固定鉄心９３に吸引される。ホルダ部９６は、コイルばね９８の付勢力に抗してオン位置まで回転した状態となっている。この状態ではホルダ部９６の先端の突起９６ｂが可動リンク５０から離れた位置に移動している。
【００４０】
次に、ハンドル２０をオン位置からオフ位置に動かして不足電圧遮断器を図１０に示されるオン状態から、図２に示されるオフ状態に切り替える際の動作について説明する。
図２に示すように、ハンドル２０をオン位置からオフ位置に向けてオフ回転方向に回転させると、スラストバー６０によってラッチ部材７０が引っ張られる。ラッチ部材７０は、ラッチばね３４の付勢力に抗してハンドル２０のオフ回転方向に回転し、リンク孔５４が上側に開いた状態となる。
【００４１】
可動リンク５０は、復帰ばね５５，５６の付勢力を受けてハンドル２０のオフ回転方向に回転し、第１カバー１１の係合穴１１ｂ及び第２カバー１２の係合穴１２ｃに固定される略棒状の固定ピン９９に当接して停止する。なお、第１カバー１１の係合穴１１ｂ及び第２カバー１２の係合穴１２ｃは前記ホルダ部９６のホルダ回動軸９６ａとは反対側の端部である突起９６ｂの近傍に形成される。このため、可動リンク５０の前記固定ピン９９と当接する当接先端部５７と、前記可動リンク５０の係合突起５３とが近接した状態とされ、可動リンク５０の大型化を抑えることができている。ここで、図１〜図３に示すように固定ピン９９は、前記鉄心ホルダ部９６よりも剛性の高い金属材料で構成される。このため、復帰ばね５５，５６の付勢力を受けた可動リンク５０が固定ピン９９に当接しても、樹脂製の鉄心ホルダ部９６よりも剛性が高い金属製の固定ピン９９においては、欠けや経年劣化の発生が抑えられている。また、復帰ばね５５が前記可動リンク５０と当接する位置（可動リンク５０に付勢力を付与する位置）と、第２回動軸１９による可動リンク５０の本体部５１の支持位置が第２回動軸１９の軸方向（図１４において幅方向Ｘと略同義）において一致する。これにより、復帰ばね５５による付勢力が第２回動軸１９の軸方向に分解されることが抑えられるため、可動リンク５０でのねじれモーメントの発生が抑えられる。
【００４２】
そして、連動駒４１は、ラッチ部材７０の突起部７２に押されることによって、付勢力に抗してハンドル２０のオフ回転方向に回転する。表示部材３０は、ラッチばね３４の付勢力を受けてハンドル２０のオフ回転方向に回転し、係合凸部３２が表示ラッチ部材８０の上端部８１に当接して停止する。この状態では、表示部３１の正常領域３１ａが表示窓１７から露出する。
【００４３】
ホルダ部９６の先端の突起９６ｂは、可動リンク５０がハンドル２０のオフ回転方向に回転することで係合突起５３に押される。
その結果、図１０の状態から図２の状態となるようにホルダ部９６は、ハンドル２０のオフ回転方向に回転する。このとき、前述したように可動リンク５０は固定ピン９９に当接して、ハンドル２０のオフ回転方向への移動が規制されている。このため、ホルダ部９６がコイルばね９８によってホルダ回動軸９６ａ中心にハンドル２０のオン回転方向（図２中時計回り方向）に回動したとしても、可動リンク５０の係合突起５３によって、ホルダ部９６の回動が規制される。
【００４４】
このとき、図１８に示すようにホルダ部９６と可動リンク５０とは、ホルダ部９６の突起９６ｂのオン回転方向側に位置する側面Ｓ１と、可動リンク５０の係合突起５３の先端面Ｓ２とが略平行に当接する。さらに、各面Ｓ１，Ｓ２は、ホルダ部９６をハンドル２０のオン回転方向に回動させるコイルばね９８の付勢力に対して直交するようになっている。なお、図１８では、コイルばねの付勢力と平行な面ＲＳと側面Ｓ１とがなす角度θを９０度となるように示している。
【００４５】
そして、ホルダ部９６が係合突起５３と当接した状態でコイルばね９８により付勢されることで、ホルダ部９６の位置が固定され、可動鉄心９７が固定鉄心９３の磁極面に接触する位置に保持されている。
【００４６】
次に、電磁引外装置９０の作動によって、不足電圧遮断器が図１０に示されるオン状態から、図１１の不足電圧トリップした瞬間を経由して、図１２に示されるトリップ状態へ切り替わる際の動作について説明する。
【００４７】
図１０に示すオン状態において、電源電圧が定格電圧よりも低い所定の設定値を下回っていること（不足電圧状態）を、励磁回路が検出すると、励磁回路は、不足電圧遮断器をトリップさせるために、コイル９２に直列接続されたスイッチをオフさせる。
【００４８】
この時、図１１に示すように、コイル９２への通電が停止され、固定鉄心９３と可動鉄心９７の間に発生する電磁吸引力がなくなるので、ホルダ部９６はコイルばね９８の付勢力を受けて、ハンドル２０のオン回転方向に回転する。ホルダ部９６がハンドル２０のオン回転方向に回転すると、ホルダ部９６の当接面９６ｅがラッチ部材７０に接触し、ラッチ部材７０をハンドル２０のオフ回転方向に回転させ、スラストバー６０の伝達側端部６２がラッチ部材７０のラッチ片７１から離れる。スラストバー６０の伝達側端部６２からラッチ部材７０のラッチ片７１が離れると、スラストバー６０の操作側端部６１を中心にハンドル２０のオフ回転方向に回転する。
【００４９】
図１２に示すように、スラストバー６０の伝達側端部６２がリンク孔５４の外側へ離脱するため、スラストバー６０の支えを失った可動リンク５０は復帰ばね５５，５６の付勢力を受けてハンドル２０のオフ回転方向に回転し、オフ位置に移動する。また、ラッチ部材７０の突起部７２によって連動駒４１が上側に押され、連動棒４２によって他の回路遮断器の開閉機構が駆動され、開閉機構によって接点がオフされる。これにより、他の回路遮断器に接続された負荷機器への電源供給が遮断され、負荷機器を保護することができる。なお、ホルダ部９６はコイルばね９８の付勢力を受けてハンドル２０のオン回転方向に回転するが、突起９６ｂが可動リンク５０の係合突起５３に当接すると、復帰ばね５５，５６の付勢力がコイルばね９８の付勢力よりも大きく設定されているので、ハンドル２０のオン回転方向にそれ以上回転することができなくなる。
【００５０】
そして、可動リンク５０が復帰ばね５５，５６の付勢力を受けてハンドル２０のオフ回転方向に回転すると、可動リンク５０の係合突起５３でホルダ部９６の突起９６ｂが押される。すると、図１１の状態から図１２の状態となるようにホルダ部９６は、ハンドル２０のオフ回転方向に回転する。このとき、前述したように可動リンク５０は固定ピン９９に当接して、ハンドル２０のオフ回転方向への移動が規制されている。このため、ホルダ部９６がコイルばね９８によってホルダ回動軸９６ａ中心にハンドル２０のオン回転方向（図１２中時計回り方向）に回動したとしても、可動リンク５０の係合突起５３によって、ホルダ部９６の回動が規制される。
【００５１】
このとき、図１８に示すようにホルダ部９６と可動リンク５０とは、ホルダ部９６の突起９６ｂのオン回転方向側に位置する側面Ｓ１と、可動リンク５０の係合突起５３の先端面Ｓ２とが略平行に当接する。さらに、各面Ｓ１，Ｓ２は、ホルダ部９６をハンドル２０のオン回転方向に回動させるコイルばね９８の付勢力に対して直交するようになっている。
【００５２】
そして、ホルダ部９６が係合突起５３と当接した状態でコイルばね９８により付勢されることで、ホルダ部９６の位置が固定され、可動鉄心９７が固定鉄心９３の磁極面に接触する位置に保持されている。
【００５３】
また、表示ラッチ部材８０がホルダ部９６の突起９６ｃ（図３参照）に押されてハンドル２０のオフ回転方向に回転することによって、表示部材３０のラッチが解除される。表示部材３０は、ラッチが解除されると、ラッチばね３４の付勢力を受けてハンドル２０のオフ回転方向に回転する。表示部３１のトリップ領域３１ｂが表示窓１７から露出する。その後、ハンドル２０がハンドルばね２５の付勢力を受けてオフ回転方向に回転し、オフ位置まで移動すると、スラストバー６０の伝達側端部６２がリンク孔５４の開口部を通ってリンク孔５４に挿入され、ラッチ片７１に係合する位置まで移動する。この時、スラストバー６０の伝達側端部６２は、可動リンク５０とラッチ部材７０とで囲まれるリンク孔５４に挿入された状態となり、ハンドル２０をオン回転方向に回転させてオン位置に移動させると、図１０に示す状態となる。
【００５４】
次に、本実施形態の効果を記載する。
（１）可動リンク５０は、前記第２回動軸１９により軸支される支持部としての挿通孔５１ｃと、復帰ばね５５により付勢力が付与される被付与部としての側縁部５１ａが第２回同軸１９の軸方向において一致する位置に形成される。このため、可動リンク５０に少なくとも一方向の回転モーメントしか発生せず、可動リンク５０が回動する際の動作が安定する。また、可動リンク５０でのねじれモーメントの発生が抑えられることで、可動リンク５０の挿通孔５１ｃと第２回動軸１９との磨耗が減少し、劣化を抑えることができる。
【００５５】
（２）可動リンク５０は、挿通孔５１ｃから前記第２回動軸１９の軸方向にずれた位置で前記第２回動軸１９により軸支される補助支持部としての補助部５２の挿通孔５２ｃを備えるため、ねじれモーメントに対する保持力を増すことができ、可動リンク５０の挿通孔５１ｃと第２回動軸１９との磨耗を更に減少され、劣化を抑えることができる。
【００５６】
（３）復帰ばね５５は、前記第２回動軸１９から離れた前記可動リンク５０の当接先端部５７側で係止される。このように復帰ばね５５が第２回動軸１９から離れて、可動リンク５０の端部（最先端近傍）に係止されていることで、ばね荷重を小さくしても大きなモーメントが得られることとなる。これにより、ばね荷重の小さな復帰ばね５５を採用することができ、比較的安価な復帰ばね５５を採用することができる。
【００５７】
尚、上記実施形態は、以下のように変更してもよい。
・上記実施形態では、可動リンク５０に、支持部としての本体部５１から支軸としての第２回動軸１９の軸方向にずれた位置で第２回動軸１９により軸支される補助支持部としての補助部５２を備えたが、補助部５２を省略する構成を採用してもよい。また、補助部５２を複数備える構成を採用してもよい。
【００５８】
・上記実施形態では、付勢部材としての復帰ばね５５は、第２回動軸１９から離れた可動リンク５０の端部側の当接先端部５７側の延出片５１ｂに係止される構成としたが、これに限らず、係止位置は変更してもよい。
【００５９】
・上記実施形態では、回路遮断器として不足電圧遮断器を採用したがこれに限らない。過電圧遮断器等のその他の回路遮断器に応用してもよい。
・上記実施形態並びに各変形例は、適宜組み合わせてもよい。
【符号の説明】
【００６０】
１０…筐体、１１…第１カバー、１１ａ…開口部、１２…第２カバー、１２ａ…開口部、１３…端子部、１９…第２回動軸（支軸）、２０…ハンドル、４０…遮断機構、４１…連動駒、４２…連動棒、４３…第３回動軸、５０…可動リンク（回動部材）、５１…本体部、５２…補助部、５３…係合突起、５４…リンク孔、５５…復帰ばね、５６…復帰ばね（付勢部材）、６０…スラストバー、６１…操作側端部、６２…伝達側端部、７０…ラッチ部材、７１…ラッチ片、８０…表示ラッチ部材、８１…上端部、８２…第４回動軸、８３…表示ラッチばね、９０…電磁引外装置、９１…ボビン、９１ａ…挿入側鍔部、９１ｂ…突出側鍔部、９２…コイル、９３…固定鉄心（第１鉄心）、９３ａ…背面、９４…上側脚片、９５…下側脚片、９７…可動鉄心（第２鉄心）、９８…コイルばね、９９…固定ピン（規制部）。
【図１】
2014241212.tif 000003
【図２】
2014241212.tif 000004
【図３】
2014241212.tif 000005
【図４】
2014241212.tif 000006
【図５】
2014241212.tif 000007
【図６】
2014241212.tif 000008
【図７】
2014241212.tif 000009
【図８】
2014241212.tif 000010
【図９】
2014241212.tif 000011
【図１０】
2014241212.tif 000012
【図１１】
2014241212.tif 000013
【図１２】
2014241212.tif 000014
【図１３】
2014241212.tif 000015
【図１４】
2014241212.tif 000016
【図１５】
2014241212.tif 000017
【図１６】
2014241212.tif 000018
【図１７】
2014241212.tif 000019
【図１８】
2014241212.tif 000020